(57)【特許請求の範囲】
【請求項１】
育苗箱２を横送する移送台１の上方位置にフレーム９を固定し、該フレーム９側に設けた左右方向の前後一対の取付軸２０、２２により取付けた後壁隅用第一アーム１９および後壁隅用第二アーム２１と、該後壁隅用第一アーム１９および後壁隅用第二アーム２１の下部を連結するように固定した育苗箱２の後壁４の隅部を押圧する後壁隅部押圧体２４とからなる後壁隅用平行リンク１８を斜め後方に傾斜配置し、前記取付軸２０、２２の後方に設けた取付軸３２、３４により取付けた前壁隅用第一アーム３１および前壁隅用第二アーム３３と、該前壁隅用第一アーム３１および前壁隅用第二アーム３３の下部を連結するように固定した育苗箱２の前壁５の隅部を押圧する前壁隅部押圧体３６とからなる前壁隅用平行リンク３０を前記後壁隅用平行リンク１８の後側に配置し、前記前壁隅用平行リンク３０は常時下方回動するように前リンク用バネ３７により後壁隅部押圧体２４と連結すると共に、待機用連結体３９により下方回動を規制するように後壁隅用平行リンク１８とも連結した育苗箱の隅部床土押圧装置。
【請求項２】
請求項１において、前記後壁隅用平行リンク１８は、前記取付軸２０より下側の後壁隅用第一アーム１９を後リンク用バネ２５により牽引し、前記取付軸２０より上側に突出する後壁隅用第一アーム１９に押圧深さ調節用ストッパー２６を当接させて後壁隅部押圧体２４を所定高さ位置に待機させ、前記押圧深さ調節用ストッパー２６の位置を変更して前記後壁隅部押圧体２４の上下幅を変更して押圧深さを変更調節自在にした育苗箱の隅部床土押圧装置。
【請求項３】
請求項２において、前記取付軸２０、２２および前記取付軸３２、３４および前記押圧深さ調節用ストッパー２６は、前記フレーム９にリンク機構を介して上下自在に取付けた左右一対の取付板１１、１１に設けた育苗箱の隅部床土押圧装置。
【請求項４】
請求項３において、前記取付板１１、１１は、前記フレーム９側に設けた高さ調節ダイヤル１３により下動はしないが上動は自由状態に吊設し、取付板１１、１１には高さ調節ダイヤル１３の下部に係合して後壁隅部押圧体２４および前壁隅部押圧体３６を育苗箱２の移送路より上方に退避させる係合板部１５を設けた育苗箱の隅部床土押圧装置。
【発明の詳細な説明】
【０００１】
【産業上の利用分野】
本発明は、育苗箱の隅部床土押圧装置に係るものである。
【０００２】
【従来技術】
従来公知の、特開平２−１９０１２０号公報には、育苗箱を横送する移送台の上方位置にフレームを固定し、該フレーム側に設けた一本の取付軸により取付けた後壁隅用アームと、該後壁隅用アームの下部に固定した育苗箱の後壁の隅部を押圧する後壁隅部押圧体を斜め後方に傾斜配置し、前記取付軸の後方に設けた一本の取付軸により取付けた前壁隅用アームと、該前壁隅用アームの下部に固定した育苗箱の前壁の隅部を押圧する前壁隅部押圧体を後壁隅用アームの後側に配置し、後壁隅用アームと前壁隅用アームとは連動可能に構成した育苗箱の隅部床土押圧装置について記載されている。
【０００３】
【発明が解決しようとする課題】
前記公知例は、隅部押圧体はアームの下部に設けられているため、取付軸を中心とする円弧移動であり、押圧深さを変えると、床土上面が窪むようにしか押圧できず、均平できないという課題がある。
押圧深さの調節可能にすると共に、美麗に均平できるようにしたものである。
【０００４】
【発明の目的】
押圧深さの調節可能化、床土上面の均平の美麗化、操作性の向上。
【０００５】
【課題を解決する手段】
本発明は、育苗箱２を横送する移送台１の上方位置にフレーム９を固定し、該フレーム９側に設けた左右方向の前後一対の取付軸２０、２２により取付けた後壁隅用第一アーム１９および後壁隅用第二アーム２１と、該後壁隅用第一アーム１９および後壁隅用第二アーム２１の下部を連結するように固定した育苗箱２の後壁４の隅部を押圧する後壁隅部押圧体２４とからなる後壁隅用平行リンク１８を斜め後方に傾斜配置し、前記取付軸２０、２２の後方に設けた取付軸３２、３４により取付けた前壁隅用第一アーム３１および前壁隅用第二アーム３３と、該前壁隅用第一アーム３１および前壁隅用第二アーム３３の下部を連結するように固定した育苗箱２の前壁５の隅部を押圧する前壁隅部押圧体３６とからなる前壁隅用平行リンク３０を前記後壁隅用平行リンク１８の後側に配置し、前記前壁隅用平行リンク３０は常時下方回動するように前リンク用バネ３７により後壁隅部押圧体２４と連結すると共に、待機用連結体３９により下方回動を規制するように後壁隅用平行リンク１８とも連結した育苗箱の隅部床土押圧装置としたものである。
本発明は、前記後壁隅用平行リンク１８は、前記取付軸２０より下側の後壁隅用第一アーム１９を後リンク用バネ２５により牽引し、前記取付軸２０より上側に突出する後壁隅用第一アーム１９に押圧深さ調節用ストッパー２６を当接させて後壁隅部押圧体２４を所定高さ位置に待機させ、前記押圧深さ調節用ストッパー２６の位置を変更して前記後壁隅部押圧体２４の上下幅を変更して押圧深さを変更調節自在にした育苗箱の隅部床土押圧装置としたものである。
本発明は、前記取付軸２０、２２および前記取付軸３２、３４および前記押圧深さ調節用ストッパー２６は、前記フレーム９にリンク機構を介して上下自在に取付けた左右一対の取付板１１、１１に設けた育苗箱の隅部床土押圧装置としたものである。
本発明は、前記取付板１１、１１は、前記フレーム９側に設けた高さ調節ダイヤル１３により下動はしないが上動は自由状態に吊設し、取付板１１、１１には高さ調節ダイヤル１３の下部に係合して後壁隅部押圧体２４および前壁隅部押圧体３６を育苗箱２の移送路より上方に退避させる係合板部１５を設けた育苗箱の隅部床土押圧装置としたものである。
【０００６】
【実施例】
本発明の一実施例を図面により説明すると、１は移送台、２は育苗箱であり、移送台１は育苗箱２をイ方向に移送する任意の移送手段を設ける。前記移送台１には、育苗箱２の移送方向後側の後壁４および前壁５の隅部の床土を押圧する隅部押圧装置６を設ける。隅部押圧装置６は後壁４の隅部を押圧する後壁隅部押圧装置７と前壁５の隅部の床土を押圧する前壁隅部押圧装置８とにより構成する。
前記移送台１には、フレーム９の側板１０の下端を固定し、前記側板１０の前側上部の間にはフレーム９に対して上下する左右一対の取付板１１をリンク機構１２を介して夫々取付け、フレーム９の側板１０には高さ調節ダイヤル１３の螺子軸部を螺合させて設け、各高さ調節ダイヤル１３の下端は前記取付板１１に夫々挿通し、該取付板１１の下面に前記高さ調節ダイヤル１３の螺子軸部下端に設けた係合具（ナット）１４を当接させ、高さ調節ダイヤル１３を回すことによりフレーム９に対して取付板１１を上下させる。前記取付板１１には解除用の係合板部１５を設け、係合板部１５を前記係合具１４に係合させると、後壁隅部押圧装置７および前壁隅部押圧装置８を育苗箱２の移送路より上方に退避させる。１６は指針であり、前記側板１０に設けた目盛り（溝）１７に合わせることにより、後述する後壁隅部押圧体２４が育苗箱２の後壁４内面に衝突する高さに待機させる待機高さを調節する。
【０００７】
前記後壁隅部押圧装置７は、左右一対の後壁隅用平行リンク１８の後壁隅用第一アーム１９の中間部を左右方向の取付軸２０に、後壁隅用第二アーム２１の上部側を左右方向の取付軸２２に夫々固定し、取付軸２０、２２は前記取付板１１に軸装する。左右の後壁隅用第一アーム１９と後壁隅用第二アーム２１の下部には夫々取付板２３を固定し、取付板２３には側面視前後逆Ｌ型形状の育苗箱２の後壁４の隅部を押圧する後壁隅部押圧体２４を取付ける。したがって、後壁隅用平行リンク１８は、正確には、後壁隅用第一アーム１９、後壁隅用第二アーム２１と、この上部を連結する取付板１１と、その下部を連結する後壁隅部押圧体２４（取付板２３は後壁隅部押圧体２４の構成部品でもある）により構成する。
【０００８】
前記取付板２３と前記取付軸２２との間には、後壁隅用第一アーム１９を常時上方回動させるように付勢する後リンク用バネ２５を設ける。また、取付軸２０よりも上方の後壁隅用第一アーム１９の回動軌跡内には押圧深さ調節用ストッパー２６を設ける。押圧深さ調節用ストッパー２６は取付板１１に設けた長孔２７内を前後に移動自在に構成し、押圧深さ調節用ストッパー２６の位置を変更して後壁隅用平行リンク１８の傾斜を変更することにより後壁隅部押圧体２４の上下幅を変更して、押圧深さ（育苗箱２の上面から床土上面までの深さ）を調節する。
【０００９】
しかして、前記前壁隅部押圧装置８は、前記左右一対の後壁隅用平行リンク１８の育苗箱２の移送方向後側に左右一対の前壁隅用平行リンク３０の前壁隅用第一アーム３１の上部を取付軸３２に、前壁隅用平行リンク３０の前壁隅用第二アーム３３の上部側を取付軸３４に夫々固定し、取付軸３２、３４は前記取付板１１に軸装し、前壁隅用平行リンク３０の下部には取付板３５を固定し、取付板取付板３５には側面視Ｌ型形状の育苗箱２の前壁５の隅部を押圧する前壁隅部押圧体３６を取付ける（取付板３５は前壁隅部押圧体３６の構成部品でもある）。
前記前壁隅用第一アーム３１と前記後壁隅部押圧体２４との間には、前壁隅用平行リンク３０を常時下方回動させるように付勢する前リンク用バネ３７を設ける。また、取付軸３４よりも上方の前壁隅用第二アーム３３の上端には、係合軸３８を設け、係合軸３８には軸形状の待機用連結体３９の後端側に形成した長孔４０を係合させ、待機用連結体３９の先端を前記後壁隅用第一アーム１９の上端に軸４１により軸着する。
【００１０】
したがって、前壁隅用第一アーム３１は常時下方回動しようとするが、待機用連結体３９が係合軸３８を牽引してこれを規制し、前壁隅部押圧体３６を、前記後壁隅部押圧装置７の後壁隅部押圧体２４の後側であって、育苗箱２の前壁５よりも上方に待機させる。それゆえ、前リンク用バネ３７より後リンク用バネ２５の弾力を強く設定する。
なお、前壁隅用平行リンク３０は、後壁隅用平行リンク１８と連動するが、後壁隅部押圧体２４と前壁隅部押圧体３６の間の距離が狭くなって、係合軸３８と軸４１の間隔が狭くなるときは係合軸３８が待機用連結体３９の長孔４０内を移動してこれを吸収する。
【００１１】
また、後壁隅部押圧体２４の下方を前壁５および後壁４が通過すると、後壁隅用平行リンク１８および前壁隅用平行リンク３０は待機位置に復帰する。
４２は隅部押圧装置６の前後側に設けた前側案内ローラー及び後側案内ローラーであり、前側案内ローラー４２及び後側案内ローラー４２は育苗箱２の側壁上面に摺接して回転するように設ける。
【００１２】
【作用】
次に作用を述べる。
本発明は以上の構成であり、移送台１に育苗箱２を供給すると、育苗箱２はイ方向に移送され、移送中に上方の床土供給装置により床土が供給される。
この床土の供給は、多い目に供給して余分のものを取り去るという方法のため、回転均平ブラシにより床土の上面を均平し、回転均平ブラシにより均平除去できない育苗箱２の後壁４および前壁５の隅部に溜る余分な隅土を、隅部押圧装置６により押圧する。
隅部押圧装置６は後壁４の隅部を押圧する後壁隅部押圧装置７と前壁５の隅部を押圧する前壁隅部押圧装置８とにより構成し、後壁隅部押圧装置７の後壁隅用平行リンク１８は後リンク用バネ２５により上方回動するように付勢され、後壁隅用平行リンク１８の後壁隅用第一アーム１９の取付軸２０部分より上側が押圧深さ調節用ストッパー２６に当接して回動が規制され、その結果、後壁隅用平行リンク１８全体の上方回動が規制されて後壁隅部押圧体２４を育苗箱２内の床土上面には接触しないが育苗箱２の後壁４と衝突する高さにて待機させる。
【００１３】
また、前壁隅用平行リンク３０は、前リンク用バネ３７により常時下方回動するように付勢されているが、後壁隅用平行リンク１８側と待機用連結体３９により連結され、係合軸３８は待機用連結体３９により牽引されているから、前壁隅用第二アーム３３の回動が規制され、その結果、前壁隅用平行リンク３０全体の下方回動が規制され、育苗箱２の前後壁４、５に接触しない上方位置にて待機させる。
しかして、前記の状態で、移送台１により床土を充填して回転均平ブラシにより均平しても除去できない余分な隅土を有する育苗箱２を移送すると、育苗箱２の後壁４が後壁隅部押圧体２４の後縁に当接し、育苗箱２の後壁４の前進移動により後壁隅部押圧体２４を前進させる（なお、前壁５を乗り越える作用は、後述する後壁４を通過させるのと同様なため省略している）。
【００１４】
後壁隅部押圧体２４が前進すると、後壁隅用平行リンク１８の後壁隅用第一アーム１９および後壁隅用第二アーム２１が取付軸２０、２２を中心に回動し、後壁隅部押圧体２４は後壁４の前面に摺接しながら下降し、後壁隅用第一アーム１９および後壁隅用第二アーム２１が略垂直状態のとき後壁４の隅土を最大に押圧して平坦にし、後壁隅用第一アーム１９および後壁隅用第二アーム２１が更に回動し、次に後壁隅部押圧体２４は後壁４の前面に摺接しながら上昇し、後壁隅部押圧体２４の下方を後壁４が通過すると、元の待機位置に後リンク用バネ２５の弾力で復帰し、後壁隅用第一アーム１９が押圧深さ調節用ストッパー２６に当接し停止する。
また、後壁隅部押圧体２４が前進すると、前リンク用バネ３７は前壁隅用平行リンク３０を牽引し、一方、後壁隅部押圧体２４の前進により軸４１は取付軸２０中心に回動して後側に移動するから、待機用連結体３９の規制が緩み、軸４１が移動した分係合軸３８が移動して前壁隅用第二アーム３３を取付軸３４中心に回動させ、その結果、前壁隅用平行リンク３０は全体として下方回動する。
【００１５】
このとき、軸４１は取付軸２０より相当に離れているので、後壁隅部押圧体２４の前進距離に対して所定割合多く後動し、それゆえ、取付板３５は育苗箱２の前壁５の後面に追いついて当接して摺接しながら下降し、前壁隅用第一アーム３１および前壁隅用第二アーム３３が略垂直状態のとき前壁５の隅土を最大に押圧して平坦にし、前壁隅用第一アーム３１および前壁隅用第二アーム３３は更に回動して後壁隅部押圧体２４の下方を後壁４が通過すると、後壁隅用平行リンク１８の上方回動により待機用連結体３９が係合軸３８を牽引して前壁隅用平行リンク３０全体を上方回動させて元の待機位置に復帰する。
この場合、待機用連結体３９は前壁隅部押圧体３６を待機位置に待機させるものであるから、後壁隅部押圧体２４の前進距離に対して前壁隅部押圧体３６を所定割合多く後動させるように軸４１と係合軸３８の間隔を設定しており、後壁隅部押圧体２４の前進開始後軸４１と係合軸３８の間隔が待機用連結体３９の長さより接近させると、後壁隅部押圧体２４は後壁４より離れてしまうが、このとき係合軸３８は待機用連結体３９の長孔４０内を移動して、支障はない。
【００１６】
以上のように、後壁隅部押圧体２４および前壁隅部押圧体３６は下降して前後壁４、５の隅土を押圧均平するが、このとき、後壁隅用平行リンク１８および前壁隅用平行リンク３０により下降するから、後壁隅部押圧体２４および前壁隅部押圧体３６は垂直上下して美麗に隅土を押圧均平する。特に、待機高さ位置および押圧深さを変更したときでも、垂直上下するので汎用性の高い押圧装置になる。
即ち、高さ調節ダイヤル１３を回すと、取付板１１をフレーム９の側板１０に対して上下させて待機高さ位置を変更調節する。このとき、側板１０に設けた目盛り（溝）目盛り１７に取付板１１の指針１６を合わせることにより、待機高さを調節する。
また、押圧深さ調節用ストッパー２６の位置を変更させ、育苗箱２に対して上動させて後壁隅用平行リンク１８の傾斜を緩くすると、後壁隅部押圧体２４の上下幅は大きくなって押圧深さを深くする。
【００１７】
後壁隅用平行リンク１８と前壁隅用平行リンク３０は、待機用連結体３９の長さによって後壁隅部押圧体２４と前壁隅部押圧体３６の高さを設定しているので、後壁隅用平行リンク１８を押圧深さ調節用ストッパー２６により設定すると、前壁隅用平行リンク３０はこれに同調し、待機高さの調節も同様である。
また、高さ調節ダイヤル１３の下端は前記取付板１１に夫々挿通し、該取付板１１の下面に前記高さ調節ダイヤル１３の螺子軸部下端に設けた係合具（ナット）係合具１４を当接させて吊設支持しているから、前記取付板１１は側板１０および高さ調節ダイヤル１３に対してフリーに上動させることができ、上動させて取付板１１の係合板部１５を係合具１４に係合させると、後壁隅部押圧装置７および前壁隅部押圧装置８を育苗箱２の移送路より上方に退避させる。
【００１８】
【効果】
本発明は、育苗箱２を横送する移送台１の上方位置にフレーム９を固定し、該フレーム９側に設けた左右方向の前後一対の取付軸２０、２２により取付けた後壁隅用第一アーム１９および後壁隅用第二アーム２１と、該後壁隅用第一アーム１９および後壁隅用第二アーム２１の下部を連結するように固定した育苗箱２の後壁４の隅部を押圧する後壁隅部押圧体２４とからなる後壁隅用平行リンク１８を斜め後方に傾斜配置し、前記取付軸２０、２２の後方に設けた取付軸３２、３４により取付けた前壁隅用第一アーム３１および前壁隅用第二アーム３３と、該前壁隅用第一アーム３１および前壁隅用第二アーム３３の下部を連結するように固定した育苗箱２の前壁５の隅部を押圧する前壁隅部押圧体３６とからなる前壁隅用平行リンク３０を前記後壁隅用平行リンク１８の後側に配置し、前記前壁隅用平行リンク３０は常時下方回動するように前リンク用バネ３７により後壁隅部押圧体２４と連結すると共に、待機用連結体３９により下方回動を規制するように後壁隅用平行リンク１８とも連結した育苗箱の隅部床土押圧装置としたものであるから、後壁隅部押圧体２４および前壁隅部押圧体３６は後壁隅用平行リンク１８および前壁隅用平行リンク３０により垂直に下降して美麗に隅土を押圧均平できる効果を奏し、特に、待機高さ位置および押圧深さを変更したときでも、垂直上下するので汎用性の高い押圧装置にできる効果を奏する。
本発明は、前記後壁隅用平行リンク１８は、前記取付軸２０より下側の後壁隅用第一アーム１９を後リンク用バネ２５により牽引し、前記取付軸２０より上側に突出する後壁隅用第一アーム１９に押圧深さ調節用ストッパー２６を当接させて後壁隅部押圧体２４を所定高さ位置に待機させ、前記押圧深さ調節用ストッパー２６の位置を変更して前記後壁隅部押圧体２４の上下幅を変更して押圧深さを変更調節自在にした育苗箱の隅部床土押圧装置としたものであるから、前記押圧深さ調節用ストッパー２６の位置を変更して前記後壁隅部押圧体２４の上下幅を変更するだけで、押圧深さを変更できる効果を奏し、育苗箱２への床土の供給量を問わずに隅部を押圧できる効果を奏する。また、前壁隅用平行リンク３０は待機用連結体３９により後壁隅用平行リンク１８と連結されているから、後壁隅部押圧体２４の上下幅を調節すると、前壁隅部押圧体３６の上下幅も同時に調節でき、操作性も頗る簡単であり、すべての育苗箱２へ対応できる。
本発明は、前記取付軸２０、２２および前記取付軸３２、３４および前記押圧深さ調節用ストッパー２６は、前記フレーム９にリンク機構を介して上下自在に取付けた左右一対の取付板１１、１１に設けた育苗箱の隅部床土押圧装置としたものであるから、高さの相違する育苗箱２へも対応できる効果を奏する。
本発明は、前記取付板１１、１１は、前記フレーム９側に設けた高さ調節ダイヤル１３により下動はしないが上動は自由状態に吊設し、取付板１１、１１には高さ調節ダイヤル１３の下部に係合して後壁隅部押圧体２４および前壁隅部押圧体３６を育苗箱２の移送路より上方に退避させる係合板部１５を設けた育苗箱の隅部床土押圧装置としたものであるから、テスト等使用しないときは、退避させておけばよく、使用範囲を広げ、操作も単に上動させれば良く、退避操作も頗る簡単であり、係合板部１５を設ければよく、コストも上昇させないという効果を奏する。
なお、育苗箱の隅部床土押圧装置の名称であるが、育苗箱に充填した供給物を回転ブラシで除去したときの隅部を押圧するものであれば、その種類は肥料でも良く、育苗箱に充填した供給物の上面隅部を押圧するものであれば、発明の名称、符号等により限定されない。
【図面の簡単な説明】
【図１】  全体の縦断側面図。
【図２】  同縦断側面図。
【図３】  後壁隅部押圧体に育苗箱が当接した状態の側面図。
【図４】  作用状態図。
【図５】  前壁隅部押圧体に育苗箱が当接した状態の側面図。
【図６】  隅部を押圧した状態の側面図。
【図７】  後壁隅部押圧体の下方を育苗箱が通過する前の状態の側面図。
【符号の説明】
１…移送台、２…育苗箱、３…移送ロール、４…後壁、５…前壁、６…隅部押圧装置、７…後壁隅部押圧装置、８…前壁隅部押圧装置、９…フレーム、１０…側板、１１…取付板、１２…リンク機構、１３…高さ調節ダイヤル、１４…係合具、１５…係合板部、１６…指針、１７…目盛り、１８…後壁隅用平行リンク、１９…後壁隅用第一アーム、２０…取付軸、２１…後壁隅用第二アーム、２２…取付軸、２３…取付板、２４…後壁隅部押圧体、２５…後リンク用バネ、２６…押圧深さ調節用ストッパー、２７…長孔、３０…前壁隅用平行リンク、３１…前壁隅用第一アーム、３２…取付軸、３３…前壁隅用第二アーム、３４…取付軸、３５…取付板、３６…前壁隅部押圧体、３７…前リンク用バネ、３８…係合軸、３９…待機用連結体、４０…長孔、４１…軸。
【図１】
0003746131.tif 000002
【図２】
0003746131.tif 000003
【図３】
0003746131.tif 000004
【図４】
0003746131.tif 000005
【図５】
0003746131.tif 000006
【図６】
0003746131.tif 000007
【図７】
0003746131.tif 000008